(57)【要約】【課題】  低コストであると共に省スペースで発音体による振動と液晶パネル等との共振による異音の発生を防止できる電気光学装置及びその電気光学装置を用いた電子機器を提供すること。【解決手段】  一部をばね部４４とし、その弾性変形を用いて液晶パネル２を当接部側例えば中枠凹部４０へ押さえることで発音体３からの振動による発音体付液晶装置等のがたつきを抑えることが可能な枠体６を具備することとしたので、部品公差のバラツキによる液晶パネル２等の部品間に生じるがたつきをその弾性変形で吸収することができ、発音体３からの振動の共振による異音の発生を防ぐことができる。また、枠体６と別に新たな部材を設けるのではなく、従来ある枠体自体の一部をばね構造として弾性変形可能とすることとしたので、部品点数を増やすことなく共振による異音の発生を防ぐことができる。【選択図】  図１
2005284054.tif 000002
【特許請求の範囲】
【請求項１】
電気光学材料を保持する基板を備える電気光学パネルと、
前記電気光学パネルと近接して設けられた発音体と、
筐体に固定され、前記電気光学パネルと当接する当接部を備え、前記電気光学パネルと前記発音体とを一体的に保持するとともに一部に設けられた弾性変形可能な弾性変形部を用いて前記電気光学パネルを前記当接部側へ押さえることで前記発音体からの振動によるがたつきを抑えることが可能な枠体と
を具備することを特徴とする電気光学装置。
【請求項２】
前記枠体は、矩形状をなし少なくとも相対向する２辺側の夫々の一部が前記弾性変形部であることを特徴とする請求項1に記載の電気光学装置。
【請求項３】
前記枠体は、前記電気光学パネルの表示側を保持する第１の枠と、前記電気光学パネルの表示側と対向する側を保持する第２の枠と、前記発音体を前記電気光学パネル側とは反対側から保持する第３の枠とを有し、前記第１及び第２の枠の少なくともいずれか一方の一部が前記弾性変形部であることを特徴とする請求項１又は請求項２に記載の電気光学装置。
【請求項４】
前記弾性変形部は、前記電気光学パネル、前記第１及び第２の枠の少なくともいずれかを押さえることが可能であることを特徴とする請求項１から請求項３のうちいずれか一項に記載の電気光学装置。
【請求項５】
前記弾性変形部は、前記第１の枠に複数設けられており、少なくとも一つが前記第２の枠を押さえ、その他が前記第２の枠側へ前記電気光学パネルを押さえることを特徴とする請求項４に記載の電気光学装置。
【請求項６】
前記弾性変形部は、前記第２の枠に複数設けられており、前記第１の枠側へ前記電気光学パネルを押さえることを特徴とする請求項４に記載の電気光学装置。
【請求項７】
前記弾性変形部は、前記第２の枠に複数設けられており、少なくとも一つが前記第１の枠を押さえ、その他が前記第１の枠側へ前記電気光学パネルを押さえることを特徴とする請求項４に記載の電気光学装置。
【請求項８】
前記弾性変形部は、ばねであることを特徴とする請求項１から請求項７のうちいずれか一項に記載の電気光学装置。
【請求項９】
前記枠体は金枠であり、前記ばねは前記金枠を打ち抜いて形成され、前記枠体から突出する立ち上がり部であることを特徴とする請求項８に記載の電気光学装置。
【請求項１０】
前記枠体は金枠であり、前記ばねは前記金枠に二つの切り込みを入れることで形成され、前記二つの切り込みの間の部分が前記枠体から突出する凸部であることを特徴とする請求項８に記載の電気光学装置。
【請求項１１】
請求項１から請求項１０のうちいずれか一項に記載の電気光学装置を備えたことを特徴とする電子機器。
【発明の詳細な説明】
【技術分野】
【０００１】
本発明は、パーソナルコンピュータや携帯電話機等に用いられる電気光学装置に関し、特に発音体付の電気光学装置及びその電気光学装置を用いた電子機器に関する。
【背景技術】
【０００２】
従来、パーソナルコンピュータや携帯電話機等といった電子機器の表示装置として液晶装置等の電気光学装置が用いられている。しかし、携帯電話機やＰＤＡ（Ｐｅｒｓｏｎａｌ  Ｄｉｇｉｔａｌ  Ａｓｓｉｓｔａｎｔｓ）のような携帯機器においては、ケース内が狭くより効率的に表示装置としての液晶装置と音源としての発音体を配置することが求められており、発音体の配置等に関する提案がされている。（例えば、特許文献１参照。）。
【特許文献１】特開２００２−７７３４６号公報（段落[０００９]から[００１３]、図１）。
【発明の開示】
【発明が解決しようとする課題】
【０００３】
しかしながら上述の方法により発音体の配置の自由度が増し携帯機器の薄型化、省スペース化もある程度可能となったが、近年、携帯電話機やＰＤＦのような携帯機器の小型化、多機能化の要望が強まり、更なる薄型化、省スペース化が求められている。
【０００４】
また、その一方でより高品質な情報例えば音の提供も携帯機器等の電子機器に求められており、上述の薄型化、省スペース化により発音体と液晶パネルとが近接することから生じ得る、発音体による振動と液晶パネル等との共振等による異音の発生を低コストで防止することが問題となっていた。
【０００５】
本発明は、上述の課題に鑑みてなされるもので、低コストであると共に省スペースで発音体による振動と液晶パネル等との共振による異音の発生を防止できる電気光学装置及びその電気光学装置を用いた電子機器を提供することを目的とする。
【課題を解決するための手段】
【０００６】
上記目的を達成するために、本発明の主たる観点に係る電気光学装置は、電気光学材料を保持する基板を備える電気光学パネルと、前記電気光学パネルと近接して設けられた発音体と、筐体に固定され、前記電気光学パネルと当接する当接部を備え、前記電気光学パネルと前記発音体とを一体的に保持するとともに一部に設けられた弾性変形可能な弾性変形部を用いて前記電気光学パネルを前記当接部側へ押さえることで前記発音体からの振動によるがたつきを抑えることが可能な枠体とを具備することを特徴とする。
【０００７】
ここで、「発音体」とは例えば圧電振動子等の音声電流を音に変換するもののことであり、「筐体」とは電気光学装置を収容する例えば携帯電話機のケース等をいう。また、「当接部」とは例えば電気光学パネルの一部が納まる凹形状のようなものや枠体の電気光学パネルと接触する部分等をいい、「電気光学パネル」とは例えば電気光学材料を保持する一対の基板を備えるものやその基板に光を照射する照明装置等をいう。
【０００８】
本発明は、一部を弾性変形可能とし、その弾性変形部を用いて該電気光学パネルを当接部側へ押さえることで発音体からの振動による例えば電気光学パネル等のがたつきを抑えることが可能な枠体を具備することとしたので、部品公差のバラツキによる電気光学パネル等の部品間に生じるがたつきをその弾性変形で吸収することができ、発音体からの振動の共振による異音の発生を防ぐことができる。また、枠体と別に新たな部材を設けるのではなく、従来ある枠体自体の一部を弾性変形可能な弾性変形部とすることとしたので、部品点数を増やすことなく共振による異音の発生を防ぐことができる。例えば枠体の一部を板状の３辺として切り抜き、枠体表面からその板状の部分を突出させることで弾性を持たせることができる。
【０００９】
本発明の一の形態によれば、前記枠体は、矩形状をなし少なくとも相対向する２辺側の夫々の一部が前記弾性変形部であることを特徴とする。これにより、バランスよく例えば電気光学パネルを押えることができ、パネル基板等に無理な応力が生じるのを防ぐことができる。
【００１０】
本発明の一の形態によれば、前記枠体は、前記電気光学パネルの表示側を保持する第１の枠と、前記電気光学パネルの表示側と対向する側を保持する第２の枠と、前記発音体を前記電気光学パネル側とは反対側から保持する第３の枠とを有し、前記第１及び第２の枠の少なくともいずれか一方の一部が前記弾性変形部であることを特徴とする。これにより、例えば弾性変形部の弾性変形を用いて電気光学パネルを表示側から押さえることができる他、第１及び第２の枠自体も押さえることが可能となるので、電気光学パネルと第１の枠との関係のみならず、第１の枠と第２の枠との関係等でもがたつきを吸収することができる。
【００１１】
本発明の一の形態によれば、前記弾性変形部は、前記電気光学パネル、前記第１及び第２の枠の少なくともいずれかを押さえることが可能であることを特徴とする。これにより、例えば一部が弾性変形可能なように設けられた第１の枠や第２の枠と電気光学パネルとの間等のがたつきをその弾性変形で吸収することができ、発音体からの振動が共振することによる異音の発生を防ぐことができる。
【００１２】
本発明の一の形態によれば、前記弾性変形部は、前記第１の枠に複数設けられており、少なくとも一つが前記第２の枠を押さえ、その他が前記第２の枠側へ前記電気光学パネルを押さえることを特徴とする。これにより、例えば第１の枠の複数の弾性変形部の弾性変形により第２の枠及び電気光学パネルのがたつきが吸収され、発音体からの振動が共振することによる異音の発生を防ぐことができる。
【００１３】
本発明の一の形態によれば、前記弾性変形部は、前記第２の枠に複数設けられており、前記第１の枠側へ前記電気光学パネルを押さえることを特徴とする。これにより、例えば電気光学パネルを表示側と反対側から第１の枠の当接部へ弾性的に押さえ、そのがたつきを吸収することができる。
【００１４】
本発明の一の形態によれば、前記弾性変形部は、前記第２の枠に複数設けられており、少なくとも一つが前記第１の枠を押さえ、その他が前記第１の枠側へ前記電気光学パネルを押さえることを特徴とする。これにより、電気光学パネルを押さえる弾性変形部は弱めの弾性力とし、第１の枠を押さえる弾性変形部はそれより強い弾性力とすることができ、電気光学パネルの性能を確保することが低コストで可能となる。
【００１５】
本発明の一の形態によれば、前記弾性変形部は、ばねであることを特徴とする。これにより、部品間に部品公差によるがたつきが生じてもばねによる弾性変形でそのがたつきを吸収することができ、がたつきによる共振の発生を抑えることができる。
【００１６】
本発明の一の形態によれば、前記枠体は金枠であり、前記ばねは前記金枠を打ち抜いて形成され、前記枠体から突出する立ち上がり部であることを特徴とする。これにより、枠体自体で簡単に弾性変形可能なばねを形成できる。また、立ち上がり部が枠体から突出しているので、まず立ち上がり部が押さえるべき例えば電気光学パネル等に当接するので、該立ち上がり部が必要なだけ弾性変形することができる。
【００１７】
本発明の一の形態によれば、前記枠体は金枠であり、前記ばねは前記金枠に二つの切り込みを入れることで形成され、前記二つの切り込みの間の部分が前記枠体から突出する凸部であることを特徴とする。これにより、枠体自体で簡単に弾性変形可能なばねを形成できる。
【００１８】
本発明の他の観点にかかる電子機器は、上述する電気光学装置を備えることを特徴とする。
【００１９】
本発明は、部品点数を増やさないで発音体による振動と電気光学パネル等との共振による異音の発生を防止できる電気光学装置を備えるので、製造コストの低減と音質等の高い電子機器を提供することができる。
【発明を実施するための最良の形態】
【００２０】
以下、本発明に実施形態を図面に基づき説明する。なお、以下実施形態を説明するにあたっては、電気光学装置の例として発音体付の液晶装置、具体的には反射半透過型のパッシブマトリックス方式の発音体付液晶装置、またその発音体付液晶装置を用いた電子機器について説明するが、これに限られるものではない。また、以下の図面においては各構成をわかりやすくするために、実際の構造と各構造における縮尺や数等が異なっている。
【００２１】
図１は本発明の第１の実施形態に係る発音体付液晶装置の分解斜視図、図２は図１のＡ−Ａ線断面図、図３は図２の液晶パネルを中心とする部分拡大図、図４は発音体付液晶装置の平面図、図５はばね部の説明図であり、（ａ）はその斜視図、（ｂ）は（ａ）のＢ−Ｂ線断面図、図６は他のばね部の説明図であり、（ａ）はその斜視図、（ｂ）は横から見た説明図、図７はケース内に配置された発音体付液晶装置の説明図及び図８は発音体付液晶装置のがたつきの説明図である。
【００２２】
（発音体付液晶装置の構成）
【００２３】
発音体付液晶装置１は、例えば図1に示すように液晶パネル２と、当該液晶パネル２に近接して設けられた発音体３、その液晶パネル２及び発音体３に接続されたフレキシブル基板４、更にその液晶パネル２や発音体３等を一体的に保持する枠体６等を有する。ここで、発音体付液晶装置１には、枠体６の他にもその他の付帯機構が必要に応じ付設される（図示しない）。
【００２４】
液晶パネル２は、図1、図２及び図３に示すようにシール材７を介して貼り合わされた一対の基板である第１の基板８及び第２の基板９と、両基板の隙間に封入された電気光学材料、例えばＳＴＮ（Ｓｕｐｅｒ  Ｔｗｉｓｔｅｄ  Ｎｅｍａｔｉｃ）型の液晶１０及び例えば該第２の基板９に光を照射する照明装置５とを有する。
【００２５】
第１の基板８には、例えば図１及び図３に示すように液晶側表面に複数のコモン電極１１が所定のパターンで形成されており、そのコモン電極１１の上（液晶側）にはオーバーコート層１２が形成され、更にその上に配向膜１３が形成されている。また、第１の基板８の外側（液晶１０と反対側）には偏光板１４等が配置されている。
【００２６】
一方、第２の基板９には、例えば図1及び図３に示すように液晶側表面に、複数のセグメント電極１５が所定のパターンで形成されており、そのセグメント電極１５の上にはオーバーコート層１６が形成され、更にその上に配向膜１７が形成されている。また、第２の基板９の外側（液晶１０と反対側）には偏光板１８等が配置されている。
【００２７】
なお、第１の基板８及び第２の基板９のいずれか一方の内側表面には図示しないが必要に応じて下地層、反射層、着色層及び光遮蔽層等を形成する。
【００２８】
ここで、第１の基板８及び第２の基板９は、図１及び図３に示すように例えばガラスや合成樹脂といった光透過性材料から形成された板状部材であり、第２の基板９は第１の基板８に対し外側へ（図１及び図３中のＹ軸方向）張出した張出し部１９を有している。
【００２９】
コモン電極１１は、例えばＩＴＯ（Ｉｎｄｕｉｕｍ  Ｔｉｎ  Ｏｘｉｄｅ）の透明導電材料でストライプ状に複数形成されているが、図１及び図３に示すように一方方向（図中のＸ軸方向）で平行になるようにストライプ形状で複数形成されている。
【００３０】
また、セグメント電極１５はコモン電極１１と同様にＩＴＯ等の透明導電材料でストライプ状に複数形成されているが、図１及び図３に示すようにコモン電極１１と交差するように図中のＹ軸方向に形成されている。これらのコモン電極１１及びセグメント電極１５が交差する所が像を表示する画素となる。
【００３１】
更にオーバーコート層１２，１６は例えば酸化ケイ素、酸化チタン又はこれらの混合物により形成され、配向膜１３，１７は例えばポリイミド系樹脂により形成されている。また、偏光板１４，１８は例えば高分子型薄膜偏光フイルムにより形成され、夫々の基板の外側に貼着されている。
【００３２】
張出し部１９は例えば図１、図２及び図３に示すようにセグメント電極１５及びコモン電極１１がシール材７で囲まれる領域（以下「液晶領域」という。）から当該張出し部１９に夫々延びて、各電極に電気的に接続された複数の外部用端子２０等が形成されている。
【００３３】
また、照明装置５は図１、図２及び図３に示すように例えば第２の基板９側に光を供給するバックライトユニットであり、光源３２、導光板３３、２枚のプリズムシート３４，３４、拡散シート３５及び反射シート３６等を有し、当該プリズムシート３４は例えば第２の基板９の偏光板１８に貼着されている。
【００３４】
ここで、光源３２は例えばＬＥＤ（Ｌｉｇｈｔ  Ｅｍｉｔｔｉｎｇ  Ｄｉｏｄｅ）が用いられ、図１に示すように導光板３３の張出し部側と反対側に配置されている。勿論、張出し部側に配置してもよいし、その他の辺側に配置してもよい。
【００３５】
また、導光板３３は光源３２から射出された光を例えば拡散シート３５の全体に照射させるものであり、プリズムシート３４は導光板３３から射出される光の輝度を向上させるものである。
【００３６】
次に発音体３は例えば図１及び図３に示すように後述する中枠を介し照明装置５の下に配置されており、例えばユニモルフ型圧電振動子等から構成される発音体本体２１とそのユニモルフ型圧電振動子の図示しない圧電膜に電気的に接続された２つの発音体用端子２２等を有する発音体端子部２３とを備える。これにより、後述するように液晶パネル２と発音体３とを枠体６に一体的に厚さを薄く収容することができ、より発音体付液晶装置１の小型化が図れるとともに液晶パネル２と発音体３との関係等で事前にベストな音質等の設計をすることが可能となる。
【００３７】
また、フレキシブル基板４には図１、図２及び図３に示すようにベース基材２４の上に配線パターン２５が形成されると共に液晶駆動用ＩＣ２６等の電子部品が実装されている。ここで、ベース基材２４は可撓性を有するフイルム状の部材であり、配線パターン２５は例えば銅等から形成されている。
【００３８】
更にフレキシブル基板４は、液晶パネル２の張出し部１９に接続されている本体部２７と発音体端子部２３に接続されている分岐部２８とを有し、その本体部２７に液晶駆動用ＩＣ２６が実装されている。
【００３９】
また、本体部２７は液晶パネル側の端に複数の本体部接続用端子２９が形成されており、外部用ＡＣＦ（Ａｎｉｓｏｔｒｏｐｉｃ  ｃｏｎｄｕｃｔｉｖｅ  ｆｉｌｍ）３０を介して液晶パネル２の張出し部１９の外部用端子２０に電気的に接続されている。
【００４０】
更に本体部接続用端子２９は、図１に示すように配線パターン２５に電気的に接続されており、当該配線パターン２５の液晶パネル側と反対側には、図示しない接続用端子、外部用ＡＣＦ等を介して液晶駆動用ＩＣ２６と電気的に接続されている。
【００４１】
ここで、液晶駆動用ＩＣ２６は例えば図1に示すように電気的に接続された配線パターン等を介して表示画像等に関わる各種の信号を受信すると、この信号に応じた駆動信号を生成するものであり、その駆動用信号は本体部接続用端子２９、外部用ＡＣＦ３０、外部用端子２０等を介しコモン電極１１及びセグメント電極１５に供給される。なお、外部用ＡＣＦ３０はＡＣＦとほとんど同様の構成であるが、必要に応じて導電粒子の大きさ等を変えてある。
【００４２】
また、分岐部２８は発音体側の端に例えば２つの分岐部接続用端子３１が形成されており、発音体端子部２３の発音体用端子２２と外部用ＡＣＦ３０を介して電気的に接続されている。更に分岐部接続用端子３１は分岐部２８の配線パターン２５に電気的に接続されている。これにより分岐部２８のフレキシブル基板を介し音声電流を発音体用端子２２に供給し、発音体本体２１中の圧電振動子の振動により音を生じさせることができる。
【００４３】
次に、枠体６は例えば図１、図２及び図３に示すように液晶パネル２を保持する第２の枠としての中枠３７とその液晶パネル２及び中枠３７を上から保持する第１の枠としての上枠３８及び発音体３等を下から（液晶パネル側とは反対側から）保持する第３の枠としての下枠３９とを有する。
【００４４】
ここで、中枠３７は例えば図１及び図２に示すように矩形状の箱型であり、照明装置５側（図中のＺ軸上方向）には液晶パネル２の一部が当接し該液晶パネル２を収容し、保持する当接部としての中枠凹部４０とその反対側に設けられた凹部である発音体３を収容する発音体収容部４１及びフレキシブル基板４の分岐部２８を通す中枠案内溝４２等を有する。
【００４５】
発音体収容部４１には、発音体３がその発音体端子部２３が例えば図１及び図２に示すようにＹ軸方向で中枠案内溝４２に向くように収容されている。勿論、発音体端子部２３は必ずしもＹ軸方向に向かせる必要はなく、例えば発音体収容部４１が矩形状であればその角に向くように発音体３を収容し、保持してもよい。これにより、中枠３７の例えばＹ軸方向長さを短くでき発音体付液晶装置１の全体形状をより小型化することができる。
【００４６】
また、中枠案内溝４２は図１及び図２に示すようにフレキシブル基板４側の側面にフレキシブル基板４の分岐部２８の分岐部接続用端子３１側が挿入できるように形成されている。そして、中枠案内溝４２には発音体用端子２２に外部用ＡＣＦ３０を介して電気的に接続された分岐部接続用端子３１を有するフレキシブル基板４の分岐部２８が挿通されている。
【００４７】
更に上枠３８は、例えば図１及び図２に示すように中枠３７に保持された液晶パネル２を中枠３７ごと図中の上側から覆うように押さえて保持するものであり、その外側表面の略中央には液晶表示面としての開口部４３が設けられている。
【００４８】
また、上枠３８は図１に示すように矩形状を有し、その相対向する２辺側に弾性変形部としてのばね部４４を有する。例えば液晶パネル２の張出し部側に１つ（４４ａ）、その対向する辺側に２つのばね部（４４ｂ，４４ｃ）を有する。
【００４９】
ここで、ばね部４４ａはフレキシブル基板側の辺側の上枠上面略中央に図６（ａ）に示すように上枠３８の開口部４３から少し内側に入ったところに例えば打ち抜きで形成された矩形状の穴４５を有する。
【００５０】
更に、ばね部４４ａはその穴４５と開口部４３との間の上枠３８の一部である帯状の部分を図６（ｂ）に示すようにＣだけ液晶パネル側に弾性的に突出させたばね４６ａが設けてある。
【００５１】
また、ばね部４４ｂはフレキシブル基板側と反対側の辺側の上枠上面略角で図５（ａ）に示すように上枠３８の開口部４３から少し内側に入ったところに例えば打ち抜きで形成された略Ｕ字形状の穴４７を有する。
【００５２】
更に、ばね部４４ｂはその穴４７により形成された上枠３８の一部であるベロ状の部分を図５（ｂ）に示すようにＣだけ中枠側に弾性的に突出させた立ち上がり部としてのばね４６ｂが設けてある。また、図１及び図４に示すようにばね部４４ｂと対向する上枠３８の反対側角にばね部４４ｃが、ばね部４４ｂとばね４６ｃが左右逆になるように相対向して形成されている。
【００５３】
また、上枠３８は例えば図１に示すようにフレキシブル基板４側の側面にフレキシブル基板４の本体部２７の本体部接続用端子２９側が挿入できるように上枠凹部４８を有する。これにより、枠体６の外側からフレキシブル基板４の本体部２７を挿入し本体部接続用端子２９と外部用端子２０とを外部用ＡＣＦ３０を介し電気的に接続できる。
【００５４】
次に、下枠３９は図１及び図２に示すように液晶パネル２を保持する中枠３７、発音体３及び発音体３を支持する支持体４９を図中の下側から覆うように押さえて保持するものであり、その支持体４９が当接する下枠３９の底部５０の略中央には発音体から生じた音を放出する放音孔５１が設けられている。
【００５５】
また、下枠３９は図１及び図２に示すように矩形状を有し、液晶パネル２、中枠３７及び発音体３等を組み付け、更に上枠３８を組み付けると丁度上枠３８と下枠３９とで一つの箱状になるように形成されている。
【００５６】
更に底部５０の内側に配置され、発音体３を支持する支持体４９は例えば図１及び図２に示すように発音体本体２１の外周からはみ出さない程度の径を有するリング形状をしている。
【００５７】
また、放音孔５１は例えば図２に示すように支持体４９の略中央に底部５０を貫通するように設けられている。尚、図中では放音孔５１は一つしか示されていないが２つ以上設けてもよい。
【００５８】
更に下枠３９には、図１及び図２に示すようにフレキシブル基板４側の側面にフレキシブル基板４の分岐部２８の分岐部接続用端子３１側が挿入できるように下枠案内溝５２が形成されている。そして、下枠案内溝５２には発音体用端子２２に外部用ＡＣＦ３０を介して電気的に接続された分岐部接続用端子３１を有するフレキシブル基板４の分岐部２８が挿通される。
【００５９】
尚、枠体６は上述のように上枠３８、中枠３７及び下枠３９と分割された構造に限られるものではなく、例えば上枠、中枠及び下枠が一体形成され、一つの枠体を構成するものであってもよい。これにより、より多種多様な発音体付液晶装置で低コストに発音体３からの振動によるがたつきを防ぐことができる。また、枠体は金属を材料にした金枠でもよく、これにより簡単で低コストにばねを形成できる。
【００６０】
（発音体付液晶装置の製造方法）
【００６１】
次に、発音体付液晶装置の製造方法を簡単に説明する。
【００６２】
まず液晶パネル２を製造する。
【００６３】
第１の基板８上にコモン電極１１の材料であるＩＴＯ等をスパッタリング法により被着し、フォトリソグラフィ法によってパターングして図１及び図２に示すようにＸ軸方向でストライプ状に、コモン電極１１を形成する。また、その上にオーバーコート層１２を形成し、更にその上に配向膜１３を形成し、ラビング処理を施して第１の基板側を形成する。
【００６４】
次に、第２の基板９上に同様にセグメント電極１５を図１及び図２示すようにＹ軸方向にストライプ状に形成し、更にオーバーコート層１６及び配向膜１７を形成し、第２の基板側を形成する。尚、このセグメント電極１５を形成する際に、張出し部１９の外部用端子２０等を同時に形成してもよい。
【００６５】
そして、第１の基板８上にギャップ材５３をドライ散布等により散布し、シール材７を介して第１の基板８と第２の基板９とを貼り合わせる。その後、シール材７の図示しない開口部から液晶１０を注入し、シール材７の開口部を紫外線硬化性樹脂等の封止材によって封止する。
【００６６】
次に、フレキシブル基板４を製造する。
【００６７】
本体部２７と分岐部２８との型により形成されたベース基材２４の上に所定の配線パターン２５、本体部接続用端子２９、分岐部接続用端子３１及び接続用端子等を形成した後、本体部２７の接続用端子の上にＡＣＦを介して液晶駆動用ＩＣを実装する。
【００６８】
更に電子部品が実装されたフレキシブル基板４の本体部接続用端子２９を外部用ＡＣＦ３０を介して液晶パネル２の外部用端子２０と電気的に接続する。同様に、分岐部接続用端子３１を外部用ＡＣＦ３０を介して発音体３の発音体用端子２２に電気的に接続する。
【００６９】
次に、下枠３９にその放音孔５１が支持体４９の内側中心に来るように支持体４９をセットする。その上に発音体本体２１を載置して、更にその発音体本体２１、発音体端子部２３及び電気的に接続された分岐部２８が保持されるように、それらを発音体収容部４１に収納し中枠３７をセットする。尚、発音体３を下枠３９及び中枠３７にセットするときはフレキシブル基板４の分岐部２８を下枠案内溝５２及び中枠案内溝４２に夫々挿通しておく。
【００７０】
また、中枠３７の中枠凹部４０に例えば図１および図２に示すように反射シート３６、光源３２が取り付けられた導光板３３、拡散シート３５及び２枚のプリズムシート３４，３４をその順に図中の下から載置にし、その上にフレキシブル基板４の本体部２７が接続された液晶パネル２を載置する。
【００７１】
次に、上枠３８を液晶パネル２及び発音体３等を収納した中枠３７を覆うように下枠３９にセットする。この際、上枠凹部４８に液晶パネル２の外部用端子２０に外部用ＡＣＦ３０を介して電気的に接続されたフレキシブル基板４の本体部接続用端子２９側の本体部２７を通しておく。また、その他必要な部品を取り付け発音体付液晶装置１が完成する。
【００７２】
また、完成した発音体付液晶装置１は例えば図７に示すように携帯電話機等の電子機器の筺体であるケース５４の内部に配置される。
【００７３】
ケース５４の液晶パネル２の表示側には、例えば図７に示すように上枠３８の開口部４３に対応した表示用開口部５５が設けられており、その反対側には下枠３９の放音孔５１に対応する位置に放音用開口部５６が設けられている。
【００７４】
更にケース５４は、例えば図７に示すように支持体５７を介して枠体６（発音体付液晶装置１）をケース５４内部に固定している。これにより、枠体６はケース５４にしっかり固定されているので液晶パネル等と同様発音体からの振動により共振することを防ぐことができる。
【００７５】
（発音体付液晶装置の動作）
【００７６】
次に、以上のように構成された発音体付液晶装置１の動作についてばねの動きを中心に簡単に説明する。
【００７７】
まず、各部品間にガタが生じていないときは例えば上枠３８のばね４６ａは、図２に示すように上枠３８を中枠３７や下枠３９等にセットする前は図６（ｂ）に示すようにＣだけ飛び出していたがセット後は、完全に周りの上枠３８の表面と同じ位置に押し込まれており、ばね４６ｂ及び４６ｃは図２に示すように少し穴４７内に押し込まれている。
【００７８】
ところが、各部品間にガタ（例えば図８中のＤ等）が生じているときはそのままではそのガタに発音体３からの振動が共振し異音が発生するが、例えば図８に示すように液晶パネル２は少なくともばね４６ａの弾性変形により当接部である中枠凹部４０に押えられているので液晶パネル２のがたつきをばねが吸収し、ばねが無いときに比べそのがたつきをより小さなものにすることが可能となる。
【００７９】
また、中枠３７もばね４６ｂ，４６ｃにより図８に示すように弾性変形により押さえられているので中枠等のがたつきも吸収し押さえることが可能となる。これにより、各部品間に多少のガタがあってもばねの弾性変形でがたつきを抑えることができるので、発音体３からの振動が共振することを抑えることが可能となる。
【００８０】
以上で発音体付液晶装置１の動作の説明を終了する。
【００８１】
このように本実施形態によれば、一部をばね部４４とし、その弾性変形を用いて液晶パネル２を当接部側例えば中枠凹部４０へ押さえることで発音体３からの振動による発音体付液晶装置等のがたつきを抑えることが可能な枠体６を具備することとしたので、部品公差のバラツキによる液晶パネル２等の部品間に生じるがたつきをその弾性変形で吸収することができ、発音体３からの振動の共振による異音の発生を防ぐことができる。また、枠体６と別に新たな部材を設けるのではなく、従来ある枠体自体の一部をばね構造として弾性変形可能とすることとしたので、部品点数を増やすことなく共振による異音の発生を防ぐことができる。
【００８２】
更に枠体６は、相対向する２辺の一部にばね部４４（４４ａ，４４ｂ，４４ｃ）を有する上枠３８を有するので、例えばばね４６ａを用いて液晶パネル２を表示側から押さえることができる他、ばね４６ｂ，４６ｃを用いて中枠３７自体も押さえることが可能となるので、液晶パネル２と中枠３７との関係のみならず、上枠３８と中枠３７との関係でもがたつきを吸収することができる。
【００８３】
（第２の実施形態）
【００８４】
次に、本発明に係る発音体付液晶装置の第２の実施形態について説明する。本実施形態においては、上枠の一部としてばねが形成されておらず中枠の一部として形成されている点で第１の実施形態と異なるのでその点を中心に説明する。尚、第１の実施形態の構成要素と共通する構成要素については、第１の実施形態の構成要素と同一の符号を付しその説明を省略する。
【００８５】
図９は本発明の第２の実施形態に係る発音体付液晶装置１０１の分解斜視図、図１０は図９のＥ−Ｅ線断面図、図１１は発音体付液晶装置１０１の中枠の平面図及び図１２は発音体付液晶装置１０１のがたつきの説明図である。
【００８６】
（発音体付液晶装置の構成）
【００８７】
発音体付液晶装置１０１は、例えば図９及び図１０に示すように液晶パネル２と、当該液晶パネル２に近接して設けられた発音体３、その液晶パネル２及び発音体３に接続されたフレキシブル基板４、更に当該液晶パネル２や発音体３等を一体的に保持する枠体１０６等を有する。ここで、発音体付液晶装置１０１には、枠体１０６の他にもその他の付帯機構が必要に応じ付設される（図示しない）。
【００８８】
枠体１０６は、例えば図９に示すように液晶パネル２を保持する第２の枠としての中枠１３７とその液晶パネル２及び中枠１３７を上から保持する第１の枠としての上枠１３８及び下から（液晶パネル側とは反対側から）保持する第３の枠としての下枠３９とを有する。
【００８９】
ここで、中枠１３７は例えば図９及び図１０に示すように矩形状の箱型であり、照明装置５側（図中のＺ軸上方向）には液晶パネル２の一部を収容し、保持する中枠凹部１４０とその反対側に設けられた凹部である発音体３を収容する発音体収容部１４１及びフレキシブル基板４の分岐部２８を通す中枠案内溝４２等を有する。
【００９０】
発音体収容部１４１には、発音体３がその発音体端子部２３が例えば図９に示すようにＹ軸方向で中枠案内溝４２に向くように収容されている。勿論、第１の実施形態と同様発音体収容部１４１の角に向くように発音体３を収容し、保持してもよい。
【００９１】
また、中枠１３７は図９、図１０及び図１１に示すように矩形状の中枠凹部１４０の相対向する２辺側に弾性変形部としてのばね部１４４を有する。例えば液晶パネル２の張出し部側に１つ（１４４ａ），その対向する辺側に２つのばね部（１４４ｂ，１４４ｃ）を有する。
【００９２】
ここで、ばね部１４４ａは中枠凹部１４０のフレキシブル基板側の辺側略中央に図９、図１０及び図１１に示すように例えば打ち抜きで形成された２つの並んだ矩形状の穴１４５，１４５を有する。
【００９３】
更にばね部１４４ａは、その並んだ２つの穴１４５，１４５との間の中枠１３７の一部である帯状の部分を図９及び図１１に示すように照明装置側（図中上側）に弾性的に突出させたばね１４６ａが設けてある。
【００９４】
また、ばね部１４４ｂは中枠凹部１４０のフレキシブル基板側と反対側の辺側略角に図１１に示すように例えば打ち抜きで形成された略Ｕ字形状の穴１４７を有する。
【００９５】
更にばね部１４４ｂは、その穴１４７により形成された中枠１３７の一部であるベロ状の部分を図９及び図１１に示すように照明装置側（図中上側）に弾性的に突出させた立ち上がり部としてのばね１４６ｂが設けてある。また、図９では一部しか表示されていないが図１１に示すようにばね部１４４ｂと対向する中枠凹部１４０の反対側角にばね部１４４ｃが、ばね部１４４ｂとばね１４６ｃが左右逆になるように相対向して形成されている。
【００９６】
次に、上枠１３８は例えば図９に示すように中枠１３７に保持された液晶パネル２を中枠１３７ごと図中の上側から覆うように当接部としての当接部分で押えて保持するものであり、その外側表面の略中央には液晶表示面としての開口部４３が設けられている。
【００９７】
また、上枠１３８には図９に示すようにフレキシブル基板側の側面にフレキシブル基板４の本体部２７の本体部接続用端子２９側が挿入できるように上枠凹部４８が形成されているが、第１の実施形態と異なりばね部は形成されていない。勿論、第１の実施形態と同様にばね部を形成しても良い。これにより、より部品間のがたつきを押さえ発音体３の振動からの共振を防ぐことができる。
【００９８】
（発音体付液晶装置の製造方法）
【００９９】
本実施形態に係る発音体付液晶装置１０１の製造方法は、第１の実施形態と同様であるのでその説明を省略する。
【０１００】
（発音体付液晶装置の動作）
【０１０１】
次に、以上のように構成された発音体付液晶装置１０１の動作についてばねの動きを中心に簡単に説明する。
【０１０２】
まず、各部品間にガタが生じていないときは例えば中枠１３７のばね１４６ａは、図１０に示すように上枠１３８を中枠１３７や下枠３９等にセットする前は図９及び図１０に示すように上方に飛び出していたがセット後は、完全に周りの中枠凹部１４０の表面と同じ位置に押し込まれており、ばね１４６ｂ及び１４６ｃも同様に周りの中枠凹部１４０の表面と同じ位置に押し込まれている。
【０１０３】
ところが、各部品間にガタ（例えば図１２中のＦ等）が生じているときはそのままではそのガタに発音体３からの振動が共振し異音が発生するが、例えば図１２に示すように少なくとも液晶パネル２はばね１４６ａ，１４６ｂ，１４６ｃの弾性変形を用い上枠１３８の当接部としての液晶パネルとの当接部分へ押えられているので液晶パネル２のがたつきをばねが吸収し、ばねが無いときに比べそのがたつきをより小さなものにすることが可能となる。
【０１０４】
以上で発音体付液晶装置１０１の動作の説明を終了する。
【０１０５】
このように本実施形態によれば、中枠１３７の一部をばね部１４４とし、その弾性変形を用いて液晶パネル２を第１の枠である上枠の当接部側へ押さえることで発音体３からの振動による液晶パネル等のがたつきを抑えることが可能な枠体１０６を具備することとしたので、部品公差のバラツキによる発音体付液晶装置１０１の部品間に生じるがたつきをその弾性変形で吸収することができ、発音体３からの振動の共振による異音の発生を防ぐことができる。また、中枠１３７と別に新たな部材を設けるのではなく、従来ある中枠自体の一部をばね構造として弾性変形可能とすることとしたので、部品点数を増やすことなく共振による異音の発生を防ぐことができる。
【０１０６】
（第３の実施形態）
【０１０７】
次に、本発明に係る発音体付液晶装置の第３の実施形態について説明する。本実施形態においては、上枠の一部としてばねが形成されておらず中枠の一部として形成されている点で第１の実施形態と異なるのでその点を中心に説明する。尚、第１の実施形態の構成要素と共通する構成要素については、第１の実施形態の構成要素と同一の符号を付しその説明を省略する。
【０１０８】
図１３は本発明の第３の実施形態に係る発音体付液晶装置２０１の分解斜視図、図１４は図１３のＧ−Ｇ線断面図、図１５は中枠の平面図及び図１６は発音体付液晶装置２０１のがたつきの説明図である。
【０１０９】
（発音体付液晶装置の構成）
【０１１０】
発音体付液晶装置２０１は、例えば図１３及び図１４に示すように液晶パネル２と、当該液晶パネル２に近接して設けられた発音体３、その液晶パネル２及び発音体３に接続されたフレキシブル基板４、更に当該液晶パネル２や発音体３等を一体的に保持する枠体２０６等を有する。ここで、発音体付液晶装置２０１には、枠体２０６の他にもその他の付帯機構が必要に応じ付設される（図示しない）。
【０１１１】
枠体２０６は、例えば図１３に示すように液晶パネル２を保持する第２の枠としての中枠２３７とその液晶パネル２及び中枠２３７を上から保持する第１の枠としての上枠２３８及び下から（液晶パネル側とは反対側から）保持する第３の枠としての下枠３９とを有する。
【０１１２】
ここで、中枠２３７は例えば図１３及び図１４に示すように矩形状の箱型であり、照明装置５側（図中のＺ軸上方向）には液晶パネル２の一部を収容し、保持する中枠凹部２４０とその反対側に設けられた凹部である発音体３を収容する発音体収容部２４１及びフレキシブル基板４の分岐部２８を通す中枠案内溝４２等を有する。
【０１１３】
発音体収容部２４１には、発音体３がその発音体端子部２３が例えば図１３に示すようにＹ軸方向で中枠案内溝４２に向くように収容されている。勿論、第１の実施形態と同様発音体収容部２４１の角に向くように発音体３を収容し、保持してもよい。
【０１１４】
また、中枠２３７は図１３、図１４及び図１５に示すように矩形状の中枠凹部２４０の対向する２辺側に弾性変形部としてのばね部２４４（２４４ａ，２４４ｂ，２４４ｃ）を有する。例えば液晶パネル２の張出し部側に１つ（２４４ａ），その対向する辺側に２つのばね部（２４４ｂ，２４４ｃ）を有する。
【０１１５】
ここで、ばね部２４４ａは中枠凹部２４０のフレキシブル基板側の辺側略中央に図１３、図１４及び図１５に示すように例えば打ち抜きで形成された２つの並んだ矩形状の穴２４５，２４５を有する。
【０１１６】
更にばね部２４４ａは、その並んだ２つの穴２４５，２４５との間の中枠２３７の一部である帯状の部分を図１３及び図１５に示すように照明装置側（図中上側）に弾性的に突出させたばね２４６ａが設けてある。
【０１１７】
また、ばね部２４４ｂは中枠凹部２４０のフレキシブル基板側と反対側の辺側略角に図１５に示すように例えば打ち抜きで形成された略Ｕ字形状の穴２４７を有する。
【０１１８】
更にばね部２４４ｂは、その穴２４７により形成された中枠２３７の一部であるベロ状の部分を図１３及び図１５に示すように照明装置側（図中上側）に弾性的に突出させた立ち上がり部としてのばね２４６ｂが設けてある。また、図１３では一部しか表示されていないが図１５に示すようにばね部２４４ｂと対向する中枠凹部２４０の反対側角にばね部２４４ｃが、ばね部２４４ｂとばね２４６ｃが左右逆になるように相対向して形成されている。
【０１１９】
また、中枠２３７は中枠凹部２４０の周囲に形成された額縁状の中枠凸部２５５を有し、該中枠凸部２５５の相対向する２辺側にばね部２４４´（２４４ａ´，２４４ｂ´，２４４ｃ´）を有する。例えば液晶パネル２の張出し部側の反対側に１つ（２４４ａ´）、張出し部側に２つのばね部（２４４ｂ´，２４４ｃ´）を有する。
【０１２０】
ここで、ばね部２４４ａ´は中枠凸部２５５のフレキシブル基板側と反対側の辺側略中央に図１３、図１４及び図１５に示すように例えば打ち抜きで形成された２つの並んだ矩形状の穴２４５´，２４５´を有する。
【０１２１】
更にばね部２４４ａ´は、その並んだ２つの穴２４５´，２４５´の間の中枠２３７の一部である帯状の部分を図１３に示すように上枠側（図中上側）に弾性的に突出させたばね２４６ａ´が設けてある。
【０１２２】
また、ばね部２４４ｂ´は中枠凸部２５５のフレキシブル基板側の辺側略角に図１３及び図１５に示すように例えば打ち抜きで形成された略Ｕ字形状の穴２４７´を有する。
【０１２３】
更にばね部２４４ｂ´は、その穴２４７´により形成された中枠２３７の一部であるベロ状の部分を図１３、図１４及び図１５に示すように上枠側（図中上側）に弾性的に突出させた立ち上がり部としてのばね２４６ｂ´が設けてある。また、図１３及び図１５に示すようにばね部２４４ｂ´と対向する中枠凸部２５５の反対側角にばね部２４４ｃ´が、ばね部２４４ｂ´とばね２４６ｃ´が左右逆になるように相対向して形成されている。尚、中枠凸部２５５にばね部２４４´を形成するときは、図１４に示すばね２４６ａ´のようにばね部２４４ａ´の図中下側を中空にして、ばね部２４４ａ´を形成する中枠凸部２５５の部分の厚みを薄くして、ばね部２４４ａ´を形成する。ばね部２４４ｂ´、２４４ｃ´も同様である。これにより、より容易にばねの形成が可能となる。
【０１２４】
次に、上枠２３８は例えば図１３に示すように中枠２３７に保持された液晶パネル２を中枠２３７ごと図中の上側から覆うように当接部としての当接部分で押えて保持するものであり、その外側表面の略中央には液晶表示面としての開口部４３が設けられている。
【０１２５】
また、上枠２３８には図１３に示すようにフレキシブル基板側の側面にフレキシブル基板４の本体部２７の本体部接続用端子２９側が挿入できるように上枠凹部４８が形成されているが、第１の実施形態と異なりばね部は形成されていない。勿論、第１の実施形態と同様にばね部を形成しても良い。これにより、多種多様な発音体付液晶装置の部品間のがたつきを押さえ発音体３の振動からの共振を防ぐことができる。
【０１２６】
次に、変形例について説明する。
【０１２７】
図１７は上枠でのばね部の平面的配置の変形例の説明図、図１８は中枠でのばね部の平面的配置の変形例の説明図及び図１９はばね形状の変形例の説明図である。
【０１２８】
ばね部の平面的な配置は、上述のようなフレキシブル基板４側の辺側とその反対側の辺側に限られるわけではなく、例えば図１７及び図１８に示すようにフレキシブル基板側の辺と異なる相対向する２辺（図中のＸ軸方向側）に設けてもよい。
【０１２９】
例えば図１７に示すように第１の枠としての上枠４３８のフレキシブル基板４側と異なる相対向する２辺、図中の上側に弾性変形部としてのばね部４４４ａを上枠４３８の一部として形成し、下側に弾性変形部としてのばね部４４４ｂ及び４４４ｃを上枠４３８の一部として形成する。
【０１３０】
具体的には、ばね部４４４ａは開口部４３から内側に入ったところに矩形状の穴４４５を例えば打ち抜きにより形成し、その穴４４５と開口部４３との間の帯状の上枠４３８の一部を液晶パネル又は中枠側に弾性的に突出させばね４４６ａを形成する。
【０１３１】
ばね部４４４ｂ及び４４４ｃは、反対側の辺（図中下側）の角に夫々向き合うように略Ｕ字形状の穴４４７を打ち抜きで形成し、その穴４４７により形成されたベロ状の上枠４３８の一部を液晶パネル又は中枠側に弾性的に突出させ、立ち上がり部としてのばね４４６ｂ、４４６ｃを形成する。
【０１３２】
また、図１８に示すように第２の枠としての中枠５３７においても当接部としての中枠凹部５４０のフレキシブル基板４側と異なる相対向する２辺側（図中Ｘ軸方向側）である図中の下側に弾性変形部としてのばね部５４４ａを中枠５３７の一部として形成し、上側に弾性変形部としてのばね部５４４ｂ及び５４４ｃを形成することもできる。
【０１３３】
具体的には、ばね部５４４ａは中枠凹部５４０の外周から少し内側に入ったところに矩形状の穴５４５，５４５を例えば打ち抜きにより図中のＹ軸方向に並んで形成し、その２つの穴５４５と５４５との間の帯状の中枠５３７の一部を液晶パネル側に弾性的に突出させ、ばね５４６ａを形成する。
【０１３４】
ばね部５４４ｂ及び５４４ｃは、反対側の辺（図中上側）の角に夫々略Ｕ字形状の穴５４７を打ち抜きで形成し、その穴５４７により形成されたベロ状の中枠５３７の一部を弾性的に液晶パネル側に弾性的に突出させ立ち上がり部としてのばね５４６ｂ、５４６ｃを形成する。
【０１３５】
更にばね部は、例えば図５に示すように略Ｕ字形状の穴を打ち抜いてベロ状のばねを形成する場合に限られるものではなく、例えば図１９（ａ）に示すように切り抜きにより矩形状の内の１辺のみ残し、切り抜かれた３辺で囲まれる部分を弾性的に突出させばね６４６ｂを形成することによってもばね部６４４ｂを形成できる。より狭い場所にばね部を形成する場合に有利である。
【０１３６】
同様にばね部は、矩形状の穴を一つ又は二つ打ち抜いて帯状の枠体の一部を弾性的に突出させてばねを形成する場合にも限られるものではなく、図１９（ｂ）に示すように１本又は２本平行に直線の切り込みを入れて、その切り込みの間の帯状の枠体の一部を弾性的に突出させ、凸部としてのばね６４６ａを形成することによってもばね部６４４ａを形成できる。勿論、切り込みは上述の場合に限られるものではなく平行でない曲線の切り込みなどでも良い。これにより、より狭いスペースでも弾性変形可能な弾性変形部を形成できる。
【０１３７】
上述のばね部の平面的な配置やばね部の形状の変形例は、本実施形態に限られるわけではなく第１及び第２の実施形態においても同様に適用可能である。これにより、種々の発音体付液晶装置で部品公差のバラツキによるがたつきを押さえ、異音の発生を防止できる。
【０１３８】
（発音体付液晶装置の製造方法）
【０１３９】
本実施形態に係る発音体付液晶装置２０１の製造方法は、第１の実施形態と略同様であるのでその説明を省略する。
【０１４０】
（発音体付液晶装置の動作）
【０１４１】
次に、以上のように構成された発音体付液晶装置２０１の動作についてばねの動きを中心に簡単に説明する。
【０１４２】
まず、各部品間にガタが生じていないときは例えば中枠２３７のばね２４６ａは、図１４に示すように上枠２３８を中枠２３７や下枠３９等にセットする前は図１３に示すように上方に飛び出していたがセット後は、完全に周りの中枠凹部２４０の表面と同じ位置に押し込まれており、ばね２４６ｂ及び２４６ｃも同様に周りの中枠凹部２４０の表面と同じ位置に押し込まれている。
【０１４３】
また、ばね２４６ａ´、２４６ｂ´及び２４６ｃ´は図１４に示すように上枠２３８に当接しある程度突出が小さくなっている。
【０１４４】
ところが、各部品間にガタ（例えば図１６中のＨ等）が生じているときはそのままではそのガタに発音体３からの振動が共振し異音が発生するが、例えば図１６に示すように液晶パネル２は、ばね２４６ａ，２４６ｂ，２４６ｃの弾性変形を用い上枠２３８の当接部としての液晶パネルとの当接部分へ押えられているので液晶パネル２のがたつきをばねが吸収し、ばねが無いときに比べそのがたつきをより小さなものにすることが可能となる。
【０１４５】
また、上枠２３８のガタ（図中のＨ）はばね２４６ａ´、２４６ｂ´及び２４６ｃ´の弾性変形により押さえられているので、例えば上枠２３８と中枠２３７とのがたつきをばねが吸収し、発音体３からの振動による共振を防ぐことができる。
【０１４６】
以上で発音体付液晶装置２０１の動作の説明を終了する。
【０１４７】
このように本実施形態によれば、中枠２３７の一部をばね部２４４とし、その弾性変形を用いて液晶パネル２を第１の枠である上枠２３８の当接部へ押さえることで発音体３からの振動による例えば液晶パネル等のがたつきを抑えることが可能な枠体２０６を具備することとしたので、部品公差のバラツキによる発音体付液晶装置２０１の部品間に生じるがたつきをその弾性変形で吸収することができ、発音体３からの振動の共振による異音の発生を防ぐことができる。また、中枠２３７と別に新たな部材を設けるのではなく、従来ある中枠自体の一部をばね構造として弾性変形可能とすることとしたので、部品点数を増やすことなく共振による異音の発生を防ぐことができる。
【０１４８】
更に中枠２３７は、中枠凹部２４０と中枠凸部２５５との両方にばね部を設けたので、中枠凸部２５５のばねで上枠２３８自体も押さえることが可能である。これにより、液晶パネル２と中枠２３７との関係のみならず、上枠２３８と中枠２３７との関係でもがたつきを吸収することができる。
【０１４９】
また、液晶パネル２に当接するばね２４６ａ、２４６ｂ及び２４６ｃと上枠２３８に当接するばね２４６ａ´、２４６ｂ´及び２４６ｃ´の２種類形成することにより、ばねの強さを２種類設けることができる。これにより、例えば液晶パネル２の性能を確保するために、ばね２４６ａ、２４６ｂ及び２４６ｃの弾性力をばね２４６ａ´、２４６ｂ´及び２４６ｃ´より相対的に弱くすることができる。
【０１５０】
（第４の実施形態・電子機器）
【０１５１】
次に、上述した発音体付液晶装置１、１０１、２０１を備えた本発明の第４の実施形態に係る電子機器について説明する。尚、第１の実施形態の構成要素と共通する構成要素については、第１の実施形態の構成要素と同一の符号を付しその説明を省略する。
【０１５２】
図２０は本発明の第４の実施形態に係る電子機器の表示制御系の全体構成を示す概略構成図である。
【０１５３】
電子機器３００は、表示制御系として例えば図２０に示すように液晶パネル２及び表示制御回路３９０などを備え、その表示制御回路３９０は表示情報出力源３９１、表示情報処理回路３９２、電源回路３９３及びタイミングジェネレータ３９４などを有する。
【０１５４】
また、液晶パネル２には表示領域Ｉを駆動する駆動回路３６１を有する。
【０１５５】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【０１５６】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。駆動回路３６１は、走査線駆動回路、データ線駆動回路及び検査回路を含む。また、電源回路３９３は、上述した各構成要素に夫々所定の電圧を供給する。
【０１５７】
このように本実施形態によれば、電子機器３００に備えられた発音体付液晶装置１は一部をばね部４４とし、その弾性変形を用いて液晶パネル２を当接部側例えば中枠凹部４０へ押さえることで発音体３からの振動による発音体付液晶装置等のがたつきを抑えることが可能な枠体６を具備することとしたので、部品公差のバラツキによる液晶パネル２等の部品間に生じるがたつきをその弾性変形で吸収することができ、発音体３からの振動の共振による異音の発生を防ぐことができる。また、枠体６と別に新たな部材を設けるのではなく、従来ある枠体自体の一部をばね構造として弾性変形可能とすることとしたので、部品点数を増やすことなく共振による異音の発生を防ぐことができる。
【０１５８】
更に枠体６により液晶パネル２、照明装置５及び発音体３と一体的に収納することとしたので、発音体付液晶装置として音響設計等を予めでき、より小型で容易に高品質の発音体付液晶装置を提供できる。
【０１５９】
特に携帯可能な電子機器にあっては、小型で且つ高品質な機能を発揮できることが求められており、製造コストを増加させずにより省スペースで共振のない質の高い音質を提供できる本発明の意義は大きいといえる。
【０１６０】
具体的な電子機器としては、携帯電話機やパーソナルコンピュータなどの他に発音体付液晶装置が搭載されたタッチパネル、ICレコーダ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の発音体付表示部として、上述した例えば発音体付液晶装置１，１０１，２０１が適用可能なのは言うまでもない。
【０１６１】
なお、本発明の電気光学装置及び電子機器は、上述した例に限定されるものではなく、本発明の要旨を逸脱しない範囲において種々変更を加え得ることは勿論である。
【０１６２】
例えば、上述した電気光学装置はいずれも液晶パネルを有する液晶装置であるが、無機或は有機エレクトロルミネッセンス装置、プラズマディスプレイ装置、電気泳動ディスプレイ装置、電子放出素子を用いた装置（Ｆｉｅｌｄ  Ｅｍｉｓｓｉｏｎ  Ｄｉｓｐｌａｙ及びＳｕｒｆａｃｅ‐Ｃｏｎｄｕｃｔｉｏｎ  Ｅｌｅｃｔｒｏｎ‐Ｅｍｉｔｔｅｒ Ｄｉｓｐｌａｙ等）などの各種電気光学装置であってもよい。
【０１６３】
以上、好ましい実施形態を上げて本発明を説明したが、本発明は上述したいずれの実施形態にも限定されず、本発明の技術思想の範囲内で適宜変更して実施できる。
【０１６４】
例えば、上述の実施形態ではパッシブマトリクス型の液晶装置について説明したがこれに限られるものではなく、例えば薄膜トランジスタ素子アクティブマトリクス型、薄膜ダイオード素子アクティブマトリクス型の液晶装置であってもよい。更には、反射半透過型に限らず透過型、反射型であってもよい。これにより、多種多様な発音体付液晶装置についても、低コストで省スペース、高品質の音質を提供できる。
【０１６５】
また上述した実施形態では、液晶パネル２の張出し部１９に液晶駆動用ＩＣ２６を実装しないＣＯＦ（Ｃｈｉｐ  Ｏｎ  Ｆｉｌｍ）として説明したがこれに限られるものではなく、張出し部１６に液晶駆動用ＩＣ２６を実装するＣＯＧ（Ｃｈｉｐ  Ｏｎ  Ｇｌａｓｓ）にも適用可能である。これにより、より多種多様な発音体付液晶装置についても、低コストで省スペース、高品質の音質を提供できる。
【０１６６】
更にばね部の平面的、立体的位置については上述の実施形態に限られるものではなく、本発明の技術思想の範囲内で第１の実施形態、第２の実施形態及び第３の実施形態（変形例も含む）を夫々組み合わせて適用可能である。
【図面の簡単な説明】
【０１６７】
【図１】第１の実施形態に係る発音体付液晶装置の分解斜視図である。
【図２】図１のＡ−Ａ線断面図である。
【図３】図２の液晶パネルを中心とする部分拡大図である。
【図４】第１の実施形態に係る発音体付液晶装置の平面図である。
【図５】第１の実施形態に係るばね部の説明図である。
【図６】第１の実施形態に係る他のばね部の説明図である。
【図７】ケース内に配置された発音体付液晶装置の説明図である。
【図８】第１の実施形態に係る発音体付液晶装置のがたつきの説明図である。
【図９】第２の実施形態に係る発音体付液晶装置１０１の分解斜視図である。
【図１０】図８のＥ−Ｅ線断面図である。
【図１１】第２の実施形態に係る発音体付液晶装置１０１の中枠の平面図である。
【図１２】第２の実施形態に係る発音体付液晶装置１０１のがたつきの説明図である。
【図１３】第３の実施形態に係る発音体付液晶装置２０１の分解斜視図である。
【図１４】図１２のＧ−Ｇ線断面図である。
【図１５】第３の実施形態に係る中枠の平面図である。
【図１６】第３の実施形態に係る発音体付液晶装置２０１のがたつきの説明図である。
【図１７】上枠でのばね部の平面的配置の変形例の説明図である。
【図１８】中枠でのばね部の平面的配置の変形例の説明図である。
【図１９】ばね形状の変形例の説明図である。
【図２０】第４の実施形態に係る電子機器の表示制御系の概略構成図である。
【符号の説明】
【０１６８】
１，１０１，２０１  発音体付液晶装置、  ２  液晶パネル、  ３  発音体、  ４  フレキシブル基板、  ５  照明装置、  ６，１０６，２０６  枠体、  ８  第１の基板、  ９  第２の基板、  １０  液晶、  １１  コモン電極、  １５  セグメント電極、  １９  張出し部、  ２０  外部用端子、  ２１  発音体本体、  ２２  発音体用端子、  ２３  発音体端子部、  ２４  ベース基材、  ２５  配線パターン、  ２６  液晶駆動用ＩＣ、  ２７  本体部、  ２８  分岐部、  ２９  本体部接続用端子、  ３０  外部用ＡＣＦ、  ３１  分岐部接続用端子、  ３２  光源、  ３３  導光板、  ３４  プリズムシート、  ３５  拡散シート、  ３６  反射シート、  ３７，１３７，２３７，４３７，５３７  中枠、  ３８，１３８，２３８，４３８，５３８  上枠、  ３９  下枠、  ４０，１４０，２４０，５４０  中枠凹部、  ４１，１４１，２４１  発音体収容部、  ４２  中枠案内溝、  ４３  開口部、  ４４ａ，４４ｂ，４４ｃ，１４４ａ，１４４ｂ，１４４ｃ，２４４ａ，２４４ｂ，２４４ｃ  ばね部、  ４５，４７，１４５，１４７，２４５，２４７  穴、  ４６ａ，４６ｂ，４６ｃ，１４６ａ，１４６ｂ，１４６ｃ，２４６ａ，２４６ｂ，２４６ｃ  ばね、  ４８  上枠凹部、  ４９，５７  支持体、  ５０  底部、５１    放音孔、  ５２  下枠案内溝、  ５３  ギャップ材、  ５４  ケース、  ５５  表示用開口部、  ５６  放音用開口部、  ２５５  中枠凸部、  ３００  電子機器、  ３６１  駆動回路、  ３９０  表示制御回路
【図１】
2005284054.tif 000003
【図２】
2005284054.tif 000004
【図３】
2005284054.tif 000005
【図４】
2005284054.tif 000006
【図５】
2005284054.tif 000007
【図６】
2005284054.tif 000008
【図７】
2005284054.tif 000009
【図８】
2005284054.tif 000010
【図９】
2005284054.tif 000011
【図１０】
2005284054.tif 000012
【図１１】
2005284054.tif 000013
【図１２】
2005284054.tif 000014
【図１３】
2005284054.tif 000015
【図１４】
2005284054.tif 000016
【図１５】
2005284054.tif 000017
【図１６】
2005284054.tif 000018
【図１７】
2005284054.tif 000019
【図１８】
2005284054.tif 000020
【図１９】
2005284054.tif 000021
【図２０】
2005284054.tif 000022